(57)【要約】【課題】簡易な構成により、音声信号の切り換え時におけるノイズ音の発生のリスクを低減できる。【解決手段】音声発話システム（１００）では、家電機器（１）の音声切換部（１２）が、家電機器（１）の音声ＰＷＭ信号と、家電アダプタ装置（２）の音声ＰＷＭ信号とを切り換える。家電アダプタ装置（２）のアダプタ側音声制御部（２１）は、音声信号切換タイミングでの家電アダプタ装置（２）の音声ＰＷＭ信号の論理レベルを、家電機器（１）の音声ＰＷＭ信号の論理レベルに応じて設定する。【選択図】図１
2015225448.tif 000002
【特許請求の範囲】
【請求項１】
家電機器と、前記家電機器に接続された家電アダプタ装置とを備えた音声制御システムであって、
前記家電機器は、自機器に記憶された第一の音声データを示す、パルス幅変調信号で構成された第一の音声出力信号を出力するとともに、当該第一の音声データに基づく音声発生を制御する第一の音声制御手段を備え、
前記家電アダプタ装置は、自装置に記憶された第二の音声データを示す、パルス幅変調信号で構成された第二の音声出力信号を出力するとともに、当該第二の音声データに基づく音声発生を制御する第二の音声制御手段を備え、
さらに前記家電機器は、前記第一の音声出力信号と、前記第二の音声出力信号とを切り換える音声切換手段を備え、
前記第二の音声制御手段は、前記第一の音声出力信号と前記第二の音声出力信号とを切り換える音声信号切換タイミングでの前記第二の音声出力信号の論理レベルを、前記第一の音声出力信号の論理レベルに応じて設定することを特徴とする音声制御システム。
【請求項２】
前記第一の音声制御手段は、さらに、前記第二の音声制御手段に対して前記第二の音声出力信号の出力を要求する音声出力要求を出力するものであり、
前記家電機器と前記家電アダプタ装置とに接続され、前記音声出力要求を前記第二の音声制御手段に送信するための通信手段をさらに備え、
前記第一の音声制御手段は、さらに、前記通信手段を介して、前記第一の音声出力信号の論理レベルを示す第一の論理レベル情報を前記第二の音声制御手段に送信することを特徴とする請求項１に記載の音声制御システム。
【請求項３】
前記家電アダプタ装置は、前記音声信号切換タイミングにおける前記第二の音声出力信号の論理レベルを示す第二の論理レベル情報を記憶する第一のサーバに接続可能であり、
前記第二の音声制御手段は、前記第二の論理レベル情報を、前記第一のサーバから取得することを特徴とする請求項１に記載の音声制御システム。
【請求項４】
前記家電アダプタ装置は、前記第二の音声データを記憶する第二のサーバに接続可能であり、
前記第二の音声データは、前記第二のサーバから取得されたものであることを特徴とする請求項１から３のいずれか１項に記載の音声制御システム。
【請求項５】
前記家電機器は、前記第一の音声出力信号に基づく音声、または前記第二の音声出力信号に基づく音声を出力する音声出力部をさらに備えることを特徴とする請求項１から４のいずれか１項に記載の音声制御システム。
【発明の詳細な説明】
【技術分野】
【０００１】
本発明は、家電機器と、当該家電機器に接続された家電アダプタ装置とを備えた音声制御システムに関する。
【背景技術】
【０００２】
家電機器の高機能化に伴い、そのユーザインターフェイス（ユーザＩ／Ｆ）も複雑化している。そのため、より直観的で人に分かりやすい手法が求められている。また、タブレットやスマートフォン等の電子端末による家電機器に対する操作への対応や、ＨＥＭＳ（Home Energy Management System）への対応に伴い、家電機器のネットワーク環境への接続が普及しつつある。このネットワーク環境への接続を利用した家電機器の音声ユーザＩ／Ｆが、特許文献１、２などで提案されている。
【０００３】
特許文献１、２には、家電機器に家電アダプタ装置を付加する事により、スピーカから出力される音声（発話）のバリエーションを増やす技術が開示されている。
【先行技術文献】
【特許文献】
【０００４】
【特許文献１】特開２００８−４６４２４号公報（２００８年２月２８日公開）
【特許文献２】特開２００５−３１１８６４号公報（２００５年１１月４日公開）
【発明の概要】
【発明が解決しようとする課題】
【０００５】
しかしながら、特許文献１、２には、スピーカから音声を出力するための、家電機器および家電アダプタ装置の具体的構成については、開示されていない。
【０００６】
一般に、家電機器のＣＰＵ（Central Processing Unit）は、家電機器の機能を実現するハードウェアの制御、環境センシング、ユーザＩ／Ｆ、機器異常時の保護等、多くの機能を担っている。従って、家電機器のＣＰＵで家電アダプタ装置からの音声データをデコードする等の、当該ＣＰＵにおける処理量の増加は、極力抑えるべきである。そのため、音声信号のデコードを家電アダプタ装置で行う構成の場合には、（ｉ）音声回路をデジタルアンプ構成（Ｄ級アンプ構成）とし、（ｉｉ）家電アダプタ装置から家電機器へと伝送される音声信号にはＰＷＭ（Pulse Width Modulation）信号を使用し、（ｉｉｉ）家電アダプタ装置以外の機器（家電機器）側において、ＰＷＭ信号を論理回路で処理する構成とすることが好ましい。なお、スピーカ、および当該スピーカに付随するアンプ等の音声回路（音声出力に関わるハードウェアの構成）は、家電アダプタ装置の部品点数を抑えることを考慮すれば、家電アダプタ装置以外の機器に備えられていることが好ましい。
【０００７】
また、スピーカから出力される音声のバリエーションを増やすために、インターネットに代表されるネットワーク接続を用いた音声出力機能の拡張を考えた場合、全ての音声データ（音声内容、発話内容）の取得や出力等の、全ての音声データに関する制御を、家電アダプタ装置側に担わせるという方法が考えられる。しかし、この方法の場合、何らかの理由でネットワーク接続が途絶し、音声データがネットワークから取得できないことも想定される。そのため、必要最小限の音声データを、家電機器側に記憶しておくことが好ましい。なお、家電機器に記憶された音声データも、上記論理回路で処理可能なように、ＰＷＭ信号で構成される。
【０００８】
従って、上記方法を採用する場合には、家電機器として必要最小限の音声データに対する発話制御（スピーカから音声が出力されるまでの制御）については、家電機器側で行われることが好ましい。一方で、ユーザ環境やユーザのニーズ等にあわせて追加または更新される音声データに対する発話制御については、家電アダプタ装置側で行われることが好ましい。すなわち、上記方法では、スピーカから出力される音声データとして、家電機器に記憶された音声データと、家電アダプタ装置に記憶された音声データとを適宜切り換える構成とすることが好ましい。
【０００９】
ここで、上記ＰＷＭ信号を用いたデジタルアンプ構成の場合、家電機器および家電アダプタ装置の２方向から出力されるＰＷＭ信号を切り換える必要がある。この場合、音声信号の切り換え時におけるＰＷＭ信号の論理レベルが、家電機器側と家電アダプタ装置側とで異なると、当該２方向からのＰＷＭ信号の切り換えに遅延が発生した場合にスピーカへ電流が流れ、ノイズ音が発生してしまう可能性がある。このような切り換え時のノイズ音発生を防止に対しては、切り換え時にデジタルアンプへの電力供給を停止する方法もある。しかし、その場合には、例えば、当該電力供給を停止する電源スイッチ回路等の構成が必要となり、回路構成の複雑化が伴ってしまう。
【００１０】
本願は、上記問題に鑑みてなされたものであり、その目的は、簡単な構成において、音声信号の切り換え時におけるノイズ音の発生のリスクを低減することを目的とする。
【課題を解決するための手段】
【００１１】
上記の課題を解決するために、本発明の一態様に係る音声制御システムは、家電機器と、前記家電機器に接続された家電アダプタ装置とを備えた音声制御システムであって、前記家電機器は、自機器に記憶された第一の音声データを示す、パルス幅変調信号で構成された第一の音声出力信号を出力するとともに、当該第一の音声データに基づく音声発生を制御する第一の音声制御手段を備え、前記家電アダプタ装置は、自装置に記憶された第二の音声データを示す、パルス幅変調信号で構成された第二の音声出力信号を出力するとともに、当該第二の音声データに基づく音声発生を制御する第二の音声制御手段を備え、さらに前記家電機器は、前記第一の音声出力信号と、前記第二の音声出力信号とを切り換える音声切換手段を備え、前記第二の音声制御手段は、前記第一の音声出力信号と前記第二の音声出力信号とを切り換える音声信号切換タイミングでの前記第二の音声出力信号の論理レベルを、前記第一の音声出力信号の論理レベルに応じて設定する構成である。
【発明の効果】
【００１２】
本発明の一態様によれば、簡易な構成により、音声信号の切り換え時におけるノイズ音の発生のリスクを低減できるという効果を奏する。
【図面の簡単な説明】
【００１３】
【図１】本発明の実施形態１に係る音声発話システムの構成を示す機能ブロック図である。
【図２】本発明の実施形態１に係る音声発話システムにおけるＦＥＴアンプの概略的な回路構成を示す図である。
【図３】本発明の実施形態１に係る音声発話システムにおける家電アダプタの構成を示す機能ブロック図である。
【図４】本発明の実施形態１に係る音声発話システムとサーバとの間の無線通信の経路を概略的に示す図である。
【図５】本発明の実施形態１に係る音声発話システムにおけるセレクタ切り換え時のシーケンスを示す図である。
【図６】本発明の実施形態１に係る音声発話システムにおけるセレクタ切り換え時の各信号の波形を示すタイムチャートである。
【図７】本発明の実施形態１に係る音声発話システムの比較例としての音声発話システムにおける、理想的なケースでのセレクタ切り換え時の各信号の波形を示すタイムチャートである。
【図８】本発明の実施形態１に係る音声発話システムの比較例としての音声発話システムにおける、実際的なケースでのセレクタ切り換え時の各信号の波形を示すタイムチャートである。
【図９】本発明の実施形態１に係る音声発話システムの変形例としての音声発話システムの構成を示す機能ブロック図である。
【図１０】本発明の実施形態１に係る音声発話システムにおけるセレクタ切り換え時の音声ＰＷＭ信号を設定するシーケンスを示す図である。
【図１１】本発明の実施形態２および３に係る音声発話システムの構成を示す機能ブロック図である。
【図１２】本発明の実施形態２に係る音声発話システムにおけるセレクタ切り換え時の音声ＰＷＭ信号を設定するシーケンスを示す図である。
【図１３】本発明の実施形態３に係る音声発話システムにおけるセレクタ切り換え時の音声ＰＷＭ信号を設定するシーケンスを示す図である。
【発明を実施するための形態】
【００１４】
〔実施形態１〕
本発明の実施形態１について、図１〜図１０に基づいて説明すれば、以下の通りである。
【００１５】
（音声発話システム１００）
図１は、本実施形態の音声発話システム１００（音声制御システム）の構成を示す機能ブロック図である。音声発話システム１００は、家電機器１および家電アダプタ２（家電アダプタ装置）を備えている。なお、図１では、家電機器１の音声発話に関係する部分のみが図示されている。
【００１６】
音声発話システム１００において、家電機器１および家電アダプタ２は、ケーブル３を介して接続されている。ケーブル３には、ＵＡＲＴ（Universal Asynchronous Receiver/Transmitter，汎用非同期送受信）通信線４（通信手段）、論理設定線５、電位基準線６、音声ＰＷＭ線７ａおよび７ｂが含まれている。なお、少なくともＵＡＲＴ通信線４、音声ＰＷＭ線７ａおよび７ｂについては、有線通信ではなく無線通信を実現する媒体で構成されてもよい。
【００１７】
ＵＡＲＴ通信線４は、家電機器１と家電アダプタ２との間の情報の送受信を行うために設けられた通信線である。より具体的には、ＵＡＲＴ通信線４は、家電機器１と家電アダプタ２とに接続され、音声出力要求をアダプタ側音声制御部２１（第二の音声制御手段）に送信するための通信媒体である。なお、音声出力要求とは、アダプタ側音声制御部２１に対して、家電アダプタ２の音声ＰＷＭ（Pulse Width Modulation）信号の、機器側音声制御部１１への出力を要求する命令である。また、音声ＰＷＭ信号（音声ＰＷＭ出力）とは、音声データを示すパルス幅変調信号である。また、論理設定線５は、後述するセレクタ１２０ａおよび１２０ｂの切り換えを制御するために設けられた制御線である。
【００１８】
電位基準線６は、接地点と接続されている。電位基準線６は、家電機器１と家電アダプタ２とが接続された時の信号電圧の基準レベル（基準値）を定めるために設けられている。なお、音声ＰＷＭ線７ａおよび７ｂの役割については後述する。
【００１９】
（家電機器１）
家電機器１は、機器側音声制御部１１（第一の音声制御手段）、音声切換部１２（音声切換手段）、および音声出力部１３を備えている。そして、音声切換部１２は、セレクタ１２０ａおよび１２０ｂを備えている。また、音声出力部１３は、ＦＥＴ（Field Effect Transistor）アンプ１３０ａおよび１３０ｂ、ならびにスピーカ１３１を備えている。
【００２０】
機器側音声制御部１１は、家電機器１の音声発話に関係する動作を統括的に制御する役割を果たす。より具体的には、機器側音声制御部１１は、（ｉ）家電アダプタ２のアダプタ側音声制御部２１との間の情報の送受信の制御、（ｉｉ）家電機器１の音声ＰＷＭ信号（第一の音声出力信号）の出力制御、（ｉｉｉ）セレクタ１２０ａおよび１２０ｂの切り換えの制御を行う。機器側音声制御部１１は、これらの制御を行うことで、家電機器１のメモリ（不図示）に記憶された第１音声データ（第一の音声データ）に基づく音声発生を制御する。なお、上記家電機器１の音声ＰＷＭ信号は、音声切換部１２を介して、音声出力部１３に出力される第１音声データを示す信号である。
【００２１】
音声切換部１２において、セレクタ１２０ａおよび１２０ｂは、音声出力部１３に出力する信号を選択するために、家電機器１の音声ＰＷＭ信号と、家電アダプタ２の音声ＰＷＭ信号（第二の音声出力信号）とを切り換える。セレクタ１２０ａは、ＦＥＴアンプ１３０ａに接続されている。また、セレクタ１２０ｂは、ＦＥＴアンプ１３０ｂに接続されている。
【００２２】
従って、セレクタ１２０ａおよび１２０ｂは、家電機器１の音声ＰＷＭ信号または家電アダプタ２の音声ＰＷＭ信号のいずれかの信号を、ＦＥＴアンプ１３０ａおよび１３０ｂに伝達する。
【００２３】
音声出力部１３において、ＦＥＴアンプ１３０ａおよび１３０ｂは、セレクタ１２０ａおよび１２０ｂから伝達された音声ＰＷＭ信号に基づいて、スピーカ１３１に電流を供給する（後述の図６を参照）。すなわち、音声出力部１３は、スピーカ１３１を介して、家電機器１の音声ＰＷＭ信号に基づく音声、または家電アダプタ２の音声ＰＷＭ信号に基づく音声を出力する。
【００２４】
なお、図１では、音声出力部１３が家電機器１に内蔵されている構成が例示されているが、音声出力部１３は、家電機器１の外部に設けられていてもよい。また、音声出力部１３は、音声発話システム１００の外部に設けられていてもよい。すなわち、音声発話システム１００は、（ｉ）機器側音声制御部１１とセレクタ１２０ａおよび１２０ｂとを備えた家電機器１、および、（ｉｉ）アダプタ側音声制御部２１を備えた家電アダプタ２を少なくとも備えていればよい。この場合、音声発話システム１００は、音声発話システム１００の外部に設けられた音声出力部１３に対する制御を行う音声制御システムとして機能する。
【００２５】
図２は、ＦＥＴアンプ１３０ａおよび１３０ｂの概略的な回路構成を示す図である。図２に示されるように、ＦＥＴアンプ１３０ａおよび１３０ｂは、ＰチャネルＭＯＳＦＥＴ（Metal Oxide Semiconductor Field Effect Transistor）１７、ＮチャネルＭＯＳＦＥＴ１８、および抵抗１９によって構成されている。
【００２６】
より具体的には、ＦＥＴアンプ１３０ａおよび１３０ｂは、インバータ論理回路として機能するように構成されている。従って、ＦＥＴアンプ１３０ａおよび１３０ｂは、自身に入力として与えられた音声ＰＷＭ信号を反転させた論理レベル（電圧レベル）を出力する。
【００２７】
（家電アダプタ２）
図３は、家電アダプタ２の構成を示す機能ブロック図である。図３に示されるように、家電アダプタ２は、家電機器１と接続され、音声出力の機能を拡張するものであり、アダプタ側音声制御部２１、フラッシュメモリ２２、および無線通信回路２３を備えている。
【００２８】
家電アダプタ２において、アダプタ側音声制御部２１は、第２音声データ（第二の音声データ）に基づく音声発生を制御するものであり、ケーブル３を介して、家電機器１と接続されている。また、アダプタ側音声制御部２１は、フラッシュメモリ２２および無線通信回路２３と接続されている。
【００２９】
図４は、（ｉ）音声発話システム１００と、（ｉｉ）音声発話システム１００の外部に設けられたサーバ２７との間の、無線通信の経路を概略的に示す図である。
【００３０】
図４に示されるように、無線通信回路２３は、ＡＰ（Access Point）２４と無線通信によって接続されている。そして、ＡＰ２４は、ＩＳＰ（Internet Service Provider）２５およびインターネット２６を経由して、サーバ２７（第一のサーバ，第二のサーバ）に接続可能である。すなわち、無線通信回路２３は、インターネット２６を介してサーバ２７への接続を可能とするものである。
【００３１】
サーバ２７には、少なくとも第２音声データが記憶されている。アダプタ側音声制御部２１は、無線通信回路２３を介して、サーバ２７から第２音声データをダウンロードする。そして、アダプタ側音声制御部２１は、当該第２音声データをフラッシュメモリ２２に保存（記憶）する。すなわち、家電アダプタ２に記憶される第２音声データは、サーバ２７から取得されるものである。
【００３２】
なお、上述の第１および第２音声データは、ともに家電機器１の処理に関する、ユーザへの報知内容を示すものである。第１音声データは、家電機器１にあらかじめ記憶された、必要最小限の報知内容を示すものである。一方、第２音声データは、ユーザ環境等にあわせて追加または更新される、家電アダプタ２に接続される家電機器１に対応した報知内容を示すものである。
【００３３】
アダプタ側音声制御部２１による第２音声データのダウンロードのタイミングは、様々な事象をトリガとして行われてよい。トリガとしては、家電機器１からの要求、またはサーバ２７からの要求が用いられてよい。家電機器１の特性および用途に応じて、様々な事象がトリガとして用いられてよい。また、第２音声データについても、家電機器１の特性および用途に応じて、様々な内容のものが利用されてよい。
【００３４】
また、アダプタ側音声制御部２１は、家電機器１の機器側音声制御部１１とタイミングをとりながら、フラッシュメモリ２２に保存された音声データを音声ＰＷＭ信号にデコードする。そして、アダプタ側音声制御部２１は、当該音声ＰＷＭ信号を家電機器１に出力する。
【００３５】
（音声発話システム１００の動作）
図５は、セレクタ切り換え時のシーケンスを示す図である。以下、図５を参照して、一連のシーケンスについて説明する。はじめに、機器側音声制御部１１は、ＵＡＲＴ通信線４を介して、アダプタ側音声制御部２１に音声出力要求を送信する。
【００３６】
なお、音声出力要求によって要求される音声出力の内容は、機器側音声制御部１１からアダプタ側音声制御部２１に具体的にその内容が指示されるものであってもよいし、アダプタ側音声制御部２１によって適宜選択されるものであってもよい。
【００３７】
機器側音声制御部１１からの音声出力要求によって要求される音声出力の内容は、家電機器１にあらかじめ保存された第１音声データではなく、サーバ２７からダウンロードされ、フラッシュメモリ２２に保存された第２音声データ（拡張音声データ）であればよい。
【００３８】
次に、アダプタ側音声制御部２１は、論理設定線５を介して、機器側音声制御部１１から出力された家電機器１の音声ＰＷＭ信号の論理レベルの状態を示す第１論理レベル情報（第一の論理レベル情報）を取得する。そして、アダプタ側音声制御部２１は、第１論理レベル情報に基づいて、音声ＰＷＭ線７ａおよび７ｂを伝送させる信号（家電アダプタ２の音声ＰＷＭ信号）の論理レベルを、あらかじめ決定された状態（具体的には、「Ｈ」（Ｈｉｇｈ）または「Ｌ」（Ｌｏｗ）のいずれか）に設定する。
【００３９】
アダプタ側音声制御部２１は、音声データの音声ＰＷＭ信号へのデコード等の処理の準備が完了すると、機器側音声制御部１１に音声出力要求の受理を示す音声出力要求受理を返信する。
【００４０】
機器側音声制御部１１は、音声出力要求受理を受信した後に、家電機器１の音声ＰＷＭ信号と家電アダプタ２の音声ＰＷＭ信号とを切り換える音声信号切換タイミングにおいて、セレクタ１２０ａおよび１２０ｂを、音声ＰＷＭ線７ａおよび７ｂ側（家電アダプタ２の音声ＰＷＭ信号側）に切り換える。続いて、機器側音声制御部１１は、アダプタ側音声制御部２１に、セレクタ１２０ａおよび１２０ｂの切換処理完了を示すセレクタ切換通知を送信する。
【００４１】
アダプタ側音声制御部２１は、セレクタ切換通知を受けた後、フラッシュメモリ２２の第２音声データを音声ＰＷＭ信号にデコードしながら、機器側音声制御部１１へ音声ＰＷＭ信号を出力する。
【００４２】
アダプタ側音声制御部２１は、一連の音声ＰＷＭ信号の出力が完了すると、上述の第１論理レベル情報に基づいて、音声ＰＷＭ線７ａおよび７ｂの信号の論理レベルを、あらかじめ決定された状態に再設定する。そして、アダプタ側音声制御部２１は、家電アダプタ２の音声ＰＷＭ信号の出力処理完了を示す音声終了通知を、機器側音声制御部１１に返信する。
【００４３】
機器側音声制御部１１は、音声終了通知を受けた後に、セレクタ１２０ａおよび１２０ｂを、機器側音声制御部１１との接続線側（家電機器１の音声ＰＷＭ信号側）に切り換える。これにより、図５に示された一連のシーケンスが完了する。
【００４４】
図６は、（ｉ）家電機器１によって音声を出力し、（ｉｉ）その後、家電機器１から家電アダプタ２に音声出力を切り換え、（ｉｉｉ）さらにその後、家電アダプタ２から家電機器１に音声出力を切り換える一連のシーケンスにおける、各信号の波形を示すタイムチャートである。
【００４５】
ここで、家電機器１によって音声を出力している期間を、家電機器音声期間と称する。また、家電アダプタ２によって音声を出力している期間を、家電アダプタ音声期間と称する。
【００４６】
図６において、ＰＷＭ＿ＡおよびＰＷＭ＿Ｂは、家電機器１の音声ＰＷＭ信号を示す波形である。ここで、ＰＷＭ＿Ａは、家電機器１からセレクタ１２０ａに入力される音声ＰＷＭ信号である。また、ＰＷＭ＿Ｂは、家電機器１からセレクタ１２０ｂに入力される音声ＰＷＭ信号である。
【００４７】
ＰＷＭ＿ＣおよびＰＷＭ＿Ｄは、家電アダプタ２の音声ＰＷＭ信号を示す波形である。ここで、ＰＷＭ＿Ｃは、家電アダプタ２からセレクタ１２０ａに入力される音声ＰＷＭ信号である。また、ＰＷＭ＿Ｄは、家電アダプタ２からセレクタ１２０ｂに入力される音声ＰＷＭ信号である。
【００４８】
ＦＥＴアンプ１３０ａおよび１３０ｂには、セレクタ１２０ａおよび１２０ｂの切換動作に応じて、家電機器１の音声ＰＷＭ信号（ＰＷＭ＿ＡおよびＰＷＭ＿Ｂ）または家電アダプタ２の音声ＰＷＭ信号（ＰＷＭ＿ＣおよびＰＷＭ＿Ｄ）のいずれかが入力される。
【００４９】
ＰＷＭ＿Ｅは、ＦＥＴアンプ１３０ａから出力される音声ＰＷＭ信号である。また、ＰＷＭ＿Ｆは、ＦＥＴアンプ１３０ｂから出力される音声ＰＷＭ信号である。
【００５０】
上述したように、ＦＥＴアンプ１３０ａおよび１３０ｂは、インバータ論理回路として機能する。従って、ＰＷＭ＿Ｅは、ＦＥＴアンプ１３０ａに入力された音声ＰＷＭ信号が論理反転された信号である。また、ＰＷＭ＿Ｆは、ＦＥＴアンプ１３０ｂに入力された音声ＰＷＭ信号が論理反転された信号である。
【００５１】
また、図６には、スピーカ１３１に印加される電圧（スピーカ電圧）の波形が示されている。スピーカ電圧は、ＰＷＭ＿ＥとＰＷＭ＿Ｆとの差分電圧として規定される。また、ＦＥＴアンプ１３０ａおよび１３０ｂからスピーカ１３１に供給される電流（スピーカ電流）の波形が示されている。スピーカ１３１にスピーカ電圧およびスピーカ電流を与えることによって、スピーカ１３１に音声を出力させることができる。
【００５２】
図６において、音声出力を切り換える切り換えタイミング（音声信号切換タイミング）の前後では、家電機器１の音声ＰＷＭ信号（ＰＷＭ＿ＡおよびＰＷＭ＿Ｂ）の論理レベルは、「Ｌ」である。
【００５３】
このため、上述したように、切り換えタイミングにおいて、家電アダプタ２の音声ＰＷＭ信号（ＰＷＭ＿ＣおよびＰＷＭ＿Ｄ）の論理レベルは、第１論理レベル情報に基づいて、家電機器１の音声ＰＷＭ信号（ＰＷＭ＿ＡおよびＰＷＭ＿Ｂ）の論理レベルと一致するように、「Ｌ」に合わせられる。
【００５４】
従って、切り換えタイミングの前後において、ＦＥＴアンプ１３０ａおよび１３０ｂから出力される音声ＰＷＭ信号（ＰＷＭ＿ＥおよびＰＷＭ＿Ｆ）の論理レベルは、「Ｈ」のままとなる。このため、スピーカ電圧は０のままとなる。
【００５５】
（比較例）
続いて、図７および図８を参照し、本実施形態の音声発話システム１００の効果を示すための比較例について説明する。図７および図８は、比較例における各信号の波形を示すタイムチャートである。
【００５６】
図７は、図６の場合と同様の一連のシーケンスにおける、各信号の波形を示している。しかしながら、切り換えタイミングにおいて、家電機器の音声ＰＷＭ信号（ＰＷＭ＿ＡおよびＰＷＭ＿Ｂ）の論理レベルと、家電アダプタの音声ＰＷＭ信号（ＰＷＭ＿ＣおよびＰＷＭ＿Ｄ）の論理レベルとが一致していないという点において、図７は図６と相違している。
【００５７】
図７では、切り換えタイミングにおいて、家電機器の音声ＰＷＭ信号（ＰＷＭ＿ＡおよびＰＷＭ＿Ｂ）の論理レベルが「Ｌ」であり、家電アダプタの音声ＰＷＭ信号（ＰＷＭ＿ＣおよびＰＷＭ＿Ｄ）の論理レベルが「Ｈ」である状況が例示されている。
【００５８】
なお、少なくとも、比較例における家電機器のセレクタおよび音声出力部の回路構成は、本実施形態の家電機器１と同様の回路構成である。そこで、以下では、比較例のセレクタおよびＦＥＴアンプは、図１に示すセレクタ１２０ａおよび１２０ｂ、並びにＦＥＴアンプ１３０ａおよび１３０ｂであるとして説明する。
【００５９】
ここで、セレクタ１２０ａおよび１２０ｂの動作に遅延が生じない場合（理想的なケース）では、ＦＥＴアンプ１３０ａおよび１３０ｂへの入力信号が同時に切り換えられる。このため、図７の状況であっても、切り換えタイミングにおいて、ＦＥＴアンプ１３０ａおよび１３０ｂから出力される音声ＰＷＭ信号（ＰＷＭ＿ＥおよびＰＷＭ＿Ｆ）の論理レベルは等しいため、スピーカ電圧は０となる。
【００６０】
しかしながら、セレクタ１２０ａおよび１２０ｂの動作に遅延が生じる場合（現実的なケース）では、切り換えタイミングの付近において、スピーカ電圧が発生する可能性がある。以下、図８を参照して、この問題について説明する。
【００６１】
図８は、セレクタ１２０ａおよび１２０ｂの動作に遅延が生じる場合において、家電機器から家電アダプタに音声出力を切り換えるタイミングの付近の時間帯での、各信号の波形を示すタイムチャートである。図８では、セレクタ１２０ｂの動作が、セレクタ１２０ａの動作に対して遅延する場合が例示されている。
【００６２】
この場合、例えば図８に示されるように、ＰＷＭ＿Ｆ（ＦＥＴアンプ１３０ｂからの出力）の論理レベルが「Ｈ」から「Ｌ」に切り換わるタイミングは、ＰＷＭ＿Ｅ（ＦＥＴアンプ１３０ａからの出力）の論理レベルが「Ｈ」から「Ｌ」に切り替わるタイミングに対して、ある時間（遅延時間）だけ遅延している。
【００６３】
このため、（ｉ）家電機器から家電アダプタに音声出力を切り換える時点から、（ｉｉ）上述の遅延時間までの時間帯に亘って、ＰＷＭ＿Ｅの論理レベルとＰＷＭ＿Ｆの論理レベルとは、一致していない。このため、当該時間帯に亘って、パルス状の波形を有するスピーカ電圧が発生する。また、スピーカ電圧の発生に伴い、スピーカ電流が生じる。
【００６４】
この結果、比較例においては、当該時間帯に亘って、音声データに対応しないノイズ音が、スピーカから出力されてしまうという問題が生じる可能性がある。
【００６５】
（音声発話システム１００の効果）
本実施形態の音声発話システム１００によれば、アダプタ側音声制御部２１が、切り換えタイミングにおける家電アダプタ２の音声ＰＷＭ信号の論理レベルを、家電機器１の音声ＰＷＭ信号の論理レベルに応じて設定する。これにより、家電アダプタ２の音声ＰＷＭ信号の論理レベルは、論理設定線５を介して取得した第１論理レベル情報に基づいて、家電機器１の音声ＰＷＭ信号の論理レベルと一致するように合わせられる。
【００６６】
従って、切り換えタイミングの前後において、ＦＥＴアンプ１３０ａから出力される音声ＰＷＭ信号の論理レベルと、ＦＥＴアンプ１３０ｂから出力される音声ＰＷＭ信号の論理レベルとが、ともに一致している。
【００６７】
それゆえ、セレクタ１２０ａおよび１２０ｂの動作に遅延が生じる場合であっても、切り換えタイミングの付近において、ＦＥＴアンプ１３０ａおよび１３０ｂのそれぞれから出力される音声ＰＷＭ信号の論理レベルの不一致に起因するスピーカ電流の発生を防止することができる。
【００６８】
このように、音声発話システム１００によれば、切り換えタイミングの前後にノイズ音が発生するというリスクを、簡単なハードウェア構成によって低減することができるという効果を奏する。
【００６９】
〔変形例〕
なお、本実施形態の音声発話システム１００において、家電機器１は複数設けられていてもよい。以下、図９を参照し、本実施形態の音声発話システム１００の変形例としての音声発話システム１００Ａ（音声制御システム）について説明する。
【００７０】
図９は、音声発話システム１００Ａの構成を示す機能ブロック図である。音声発話システム１００Ａは、エアコン１ａ、冷蔵庫１ｂ、洗濯機１ｃ、および空気清浄器１ｄを備えている。また、音声発話システム１００Ａは、家電アダプタ２ａ〜２ｄ（家電アダプタ装置）を備えている。
【００７１】
エアコン１ａ、冷蔵庫１ｂ、洗濯機１ｃ、および空気清浄器１ｄのそれぞれは、音声発話システム１００の家電機器１に相当する。エアコン１ａ、冷蔵庫１ｂ、洗濯機１ｃ、および空気清浄器１ｄのそれぞれは、家電機器１Ａとして総称されてもよい。
【００７２】
なお、家電機器の種類は、上述のものに限定される必要はなく、音声発話システム１００の用途に応じて、様々な家電機器が音声発話システム１００Ａに適用されてよい。また、各家電機器の切り換えタイミングにおける音声ＰＷＭ信号の論理レベルは、各家電機器の音声出力部（音声発話部）の回路構成、および、使用されている制御ソフトウェアによって、様々である。
【００７３】
家電アダプタ２ａ〜２ｄのそれぞれは、音声発話システム１００の家電アダプタ２に相当する。家電アダプタ２ａ〜２ｄのそれぞれは、家電アダプタ２Ａ（家電アダプタ装置）として総称されてもよい。家電アダプタ２Ａは、様々な家電機器に対して接続可能であるように、仕様が共通化されている。
【００７４】
従って、家電アダプタ２Ａは、適当な方法によって、家電機器１Ａの音声ＰＷＭ信号の論理レベルを示す第１論理レベル情報を取得し、当該論理レベルと一致するように、切り換えタイミングにおける家電アダプタ２Ａの論理レベルを調整するように構成されることが好ましい。
【００７５】
なお、実施形態１の音声発話システム１００では、家電アダプタ２は、論理設定線５を介して、家電機器１から第１論理レベル情報を取得している。音声発話システム１００Ａもまた、同様に構成されてよい。
【００７６】
〔家電アダプタ２の音声ＰＷＭ信号の決定シーケンス〕
図１０は、実施形態１の音声発話システム１００における、セレクタ切り換え時の音声ＰＷＭ信号を設定するシーケンスを示す図である。以下、図１０を参照して、家電アダプタ２が、家電機器１から第１論理レベル情報を取得し、切り換えタイミングにおける音声ＰＷＭ信号の論理レベルを決定する具体的なシーケンスについて説明する。
【００７７】
はじめに、家電機器１が起動されると、家電機器１の機器側音声制御部１１は、家電機器１の音声ＰＷＭ信号の論理レベルを示す第１論理レベル情報を、論理設定線５へ出力する。例えば、論理レベルが「Ｈ」（または「Ｌ」）の家電機器１は、家電機器１側の論理レベル「Ｈ」（または「Ｌ」）を示す第１論理レベル情報を、論理設定線５へ出力する。
【００７８】
一方、家電アダプタ２が起動されると、家電アダプタ２のアダプタ側音声制御部２１は、家電機器１に対して、家電機器１の種別を示す機器情報通知を家電機器１に要求するための命令である機器情報通知要求を送信する。そして、家電機器１の機器側音声制御部１１は、機器情報通知要求を受信する。
【００７９】
次に、家電機器１の機器側音声制御部１１は、家電機器１のプロパティ情報を、機器情報通知として家電アダプタ２に返信する。プロパティ情報には、例えば家電機器１の商品コードおよび動作状態等が含まれる。
【００８０】
家電アダプタ２のアダプタ側音声制御部２１は、論理設定線５を介して機器情報通知を受信することによって、接続対象である家電機器１が存在することを認識する。そして、アダプタ側音声制御部２１は、家電機器１から第１論理レベル情報を取得し、第１論理レベル情報に基づいて、切り換えタイミングにおける家電アダプタ２の音声ＰＷＭ信号の論理レベルを決定する。すなわち、アダプタ側音声制御部２１は、第１論理レベル情報が示す家電機器１側の論理レベルを、上記家電アダプタ２側の論理レベルとして決定する。
【００８１】
このように、家電アダプタ２の音声ＰＷＭ信号の論理レベルを、家電機器１の音声ＰＷＭ信号の論理レベルと一致させることにより、切り換えタイミングの前後にノイズ音が発生するというリスクを低減することが可能となる。
【００８２】
なお、本実施形態では、論理レベル設定において、家電機器１側の論理レベルを示す第１論理レベル情報が用いられる場合について説明した。しかし、これに限らず、第１論理レベル情報の代わりに、切り換えタイミングにおける家電アダプタ２の音声ＰＷＭ信号の論理レベルを直接示す情報（後述の第２論理レベル情報）が用いられてもよい。この場合、アダプタ側音声制御部２１は、上記情報が示す論理レベルを、切り換えタイミングにおける家電アダプタ２側の論理レベルとして決定する。
【００８３】
〔実施形態２〕
本発明の他の実施形態について、図１１および図１２に基づいて説明すれば、以下の通りである。なお、説明の便宜上、前記実施形態にて説明した部材と同じ機能を有する部材については、同じ符号を付記し、その説明を省略する。
【００８４】
（音声発話システム２００）
図１１は、本実施形態の音声発話システム２００（音声制御システム）の構成を示す機能ブロック図である。本実施形態の音声発話システム２００は、実施形態１の音声発話システム１００から、論理設定線５を取り除くことによって実現される構成である。
【００８５】
音声発話システム２００では、家電アダプタ２による家電機器１からの第１論理レベル情報の取得は、ＵＡＲＴ通信線４を介して行われる。この点において、本実施形態の音声発話システム２００は、実施形態１の音声発話システム１００と異なっている。
【００８６】
（音声発話システム２００の動作）
図１２は、音声発話システム２００における、セレクタ切り換え時の音声ＰＷＭ信号を設定するシーケンスを示す図である。
【００８７】
家電アダプタ２が起動されると、家電アダプタ２のアダプタ側音声制御部２１は、家電機器１に対して、機器情報通知要求を送信する。家電機器１の機器側音声制御部１１は、機器情報通知要求を受信した後に、家電機器１のプロパティ情報を、機器情報通知として家電アダプタ２に返信する。
【００８８】
家電アダプタ２のアダプタ側音声制御部２１は、ＵＡＲＴ通信線４を介して機器情報通知を受信することによって、接続対象である家電機器１のプロパティ情報を認識すると同時に、家電機器１が存在することを認識する。その後、アダプタ側音声制御部２１は、第１論理レベル情報を家電機器１に要求するための命令である設定レベル通知要求を、家電機器１に送信する。
【００８９】
家電機器１の機器側音声制御部１１は、設定レベル通知要求を受信した後に、第１論理レベル情報を、設定レベル通知として家電アダプタ２に返信する。
【００９０】
家電アダプタ２のアダプタ側音声制御部２１は、家電機器１からの設定レベル通知を受信する。そして、アダプタ側音声制御部２１は、設定レベル通知に含まれる第１論理レベル情報に基づいて、切り換えタイミングにおける家電アダプタ２の音声ＰＷＭ信号の論理レベルを決定する。
【００９１】
（音声発話システム２００の効果）
本実施形態の音声発話システム２００では、家電機器１は、ＵＡＲＴ通信線４を介して、第１論理レベル情報を家電アダプタ２に送信する。そのため、家電機器１と家電アダプタ２との間の通信に用いられるＵＡＲＴ通信線４を介して、論理レベル設定を行うことができる。
【００９２】
従って、論理レベルを設定することのみを目的として、論理設定線５を設けることが不要となる。それゆえ、実施形態１の音声発話システム１００に比べて、ハードウェア構成をさらに簡素化できるという効果を奏する。
【００９３】
〔実施形態３〕
本発明の他の実施形態について、図１３に基づいて説明すれば、以下の通りである。なお、説明の便宜上、前記実施形態にて説明した部材と同じ機能を有する部材については、同じ符号を付記し、その説明を省略する。
【００９４】
（音声発話システム３００）
本実施形態の音声発話システム３００（音声制御システム）の構成は、実施形態２の音声発話システム２００の構成と同様である。従って、本実施形態の音声発話システム３００の構成については、上述の図１１を参照すればよい。
【００９５】
本実施形態では、切り換えタイミングにおける家電アダプタ２の音声ＰＷＭ信号の論理レベルに関する情報は、インターネット２６を介して接続可能なサーバ２７に、あらかじめデータベースとして保存されている。すなわち、本実施形態のサーバ２７には、第２音声データとともに、上記論理レベルに関する情報が記憶されている。
【００９６】
従って、家電アダプタ２は、サーバ２７との情報の送受信を行うことによって、切り換えタイミングにおける家電アダプタ２の音声ＰＷＭ信号の論理レベルを決定する。この点において、本実施形態の音声発話システム３００は、実施形態２の音声発話システム２００と異なっている。
【００９７】
なお、上記論理レベルに関する情報は、切り換えタイミングにおける家電アダプタ２の音声ＰＷＭ信号の論理レベルを示す第２論理レベル情報（第二の論理レベル情報）である。この場合、第２論理レベル情報は、家電機器１の音声ＰＷＭ信号の論理レベルと一致するように設定された、家電アダプタ２の音声ＰＷＭ信号の論理レベルを示すものである。サーバ２７には、少なくとも、家電機器１を示す機器情報と、第１論理レベル情報と、第２論理レベル情報とが、対応付けて記憶されている。
【００９８】
（音声発話システム３００の動作）
図１３は、音声発話システム２００における、セレクタ切り換え時の音声ＰＷＭ信号を設定するシーケンスを示す図である。
【００９９】
家電アダプタ２が起動されると、家電アダプタ２のアダプタ側音声制御部２１は、家電機器１に対して、機器情報通知要求を送信する。家電機器１は、機器情報通知要求を受信した後に、家電機器１のプロパティ情報を、機器情報通知として家電アダプタ２に返信する。
【０１００】
家電アダプタ２のアダプタ側音声制御部２１は、ＵＡＲＴ通信線４を介して機器情報通知を受信することによって、接続対象である家電機器１のプロパティ情報を認識する。そして、アダプタ側音声制御部２１は、プロパティ情報に含まれる商品コードから、家電機器１の存在、および、家電機器１の商品コードを認識する。
【０１０１】
次に、家電アダプタ２のアダプタ側音声制御部２１は、家電機器１の商品コードと家電アダプタ２に関する機器情報通知とを、サーバ２７に送信する。サーバ２７は、機器情報通知を受信した後に、機器情報受理を家電アダプタ２に送信する。
【０１０２】
家電アダプタ２のアダプタ側音声制御部２１は、機器情報受理を受信した後に、第２論理レベル情報を家電機器１に要求するための命令である設定レベル通知要求をサーバ２７に送信する。サーバ２７は、設定レベル通知要求を受信した後に、機器情報通知によって獲得した家電機器１の商品コードに対応する、切り換えタイミングにおける家電アダプタ２の音声ＰＷＭ信号を示す第２論理レベル情報を、設定レベル通知として家電アダプタ２に返信する。
【０１０３】
家電アダプタ２は、サーバ２７からの設定レベル通知を受信した後に、設定レベル通知に含まれる第２論理レベル情報に基づいて、切り換えタイミングにおける家電アダプタ２の音声ＰＷＭ信号の論理レベルを決定する。
【０１０４】
なお、上記のように、サーバ２７が、第２論理レベル情報を、設定レベル通知として家電アダプタ２に返信する必要は必ずしもない。例えば、サーバ２７に記憶された第１論理レベル情報が、設定レベル通知として家電アダプタ２に返信されてもよい。この場合、家電アダプタ２のアダプタ側音声制御部２１は、実施形態１または２と同様、上記第１論理レベル情報に基づいて、家電アダプタ２の音声ＰＷＭ信号の論理レベルを決定する。また、この場合には、第２論理レベル情報がサーバ２７に記憶されていなくてもよい。
【０１０５】
（音声発話システム３００の効果）
本実施形態の音声発話システム３００では、家電アダプタ２は、第２音声データが記憶されているサーバ２７から、第２論理レベル情報を取得することにより、家電アダプタ２の音声ＰＷＭ信号の論理レベルを決定する。
【０１０６】
従って、音声発話システム３００では、家電アダプタ２は、家電機器１から第２論理レベル情報を取得する必要がないため、家電機器１と家電アダプタ２と間の通信シーケンスを簡素化することができる。
【０１０７】
それゆえ、実施形態２の音声発話システム２００に比べて、家電機器１のＣＰＵの情報処理の負荷を軽減することができるという効果を奏する。
【０１０８】
なお、後述するように、機器側音声制御部１１はＣＰＵによって実現され得るので、音声発話システム３００によれば、機器側音声制御部１１の情報処理の負荷を軽減することができるという利点が得られる。
【０１０９】
また、本実施形態では、家電アダプタ２の起動時に、図１３に示されたシーケンスが実行される構成が例示されている。しかしながら、図１３に示されたシーケンスが実行される時点は、家電アダプタ２の起動時にのみに限定されなくともよい。
【０１１０】
例えば、家電アダプタ２が、サーバ２７から第２音声データを取得する時に、第２音声データに付随してサーバ２７から設定レベル通知を取得するように構成されてもよい。
【０１１１】
当該構成によれば、家電機器１または家電アダプタ２の起動時に、インターネット２６との接続ができず、サーバ２７から設定レベル通知を取得することが不可能であった場合にも、インターネット２６との接続が復旧した時点において、第２音声データにあわせて設定レベル通知を取得することができる。すなわち、サーバ２７から第２音声データを取得し、当該第２音声データを示す家電アダプタ２の音声ＰＷＭ信号を、家電機器１に送信するときまでには、家電アダプタ２の論理レベル設定を完了することができる。
【０１１２】
なお、家電アダプタ２とサーバ２７との接続は、必ずしもインターネット２６を介して行われる必要はない。例えば、音声発話システム３００が設けられている設備内に、サーバ２７が設置されている場合には、家電アダプタ２およびサーバ２７は直接的に接続されてもよい。
【０１１３】
また、本実施形態では、１つのサーバ２７に、第１論理レベル情報、第２論理レベル情報および第２音声データが記憶されている構成が例示されている。しかしながら、第１論理レベル情報、第２論理レベル情報および第２音声データは、それぞれ個別のサーバに記憶されていてもよい。
【０１１４】
例えば、第１および第２論理レベル情報が第一のサーバに記憶されており、第２音声データが第二のサーバに記憶されていてもよい。この場合、家電アダプタ２は、第一のサーバおよび第二のサーバに通信可能であるように構成される。
【０１１５】
〔ソフトウェアによる実現例〕
音声発話システム１００、１００Ａ、２００、および３００の制御ブロック（特に、機器側音声制御部１１およびアダプタ側音声制御部２１）は、集積回路（ＩＣチップ）等に形成された論理回路（ハードウェア）によって実現してもよいし、ＣＰＵ（Central Processing Unit）を用いてソフトウェアによって実現してもよい。
【０１１６】
後者の場合、音声発話システム１００、１００Ａ、２００、および３００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１７】
〔まとめ〕
本発明の態様１に係る音声制御システム（音声発話システム１００，１００Ａ，２００，３００）は、家電機器（１，１Ａ）と、前記家電機器に接続された家電アダプタ装置（家電アダプタ２，２ａ〜２ｄ，２Ａ）とを備えた音声制御システムであって、前記家電機器は、自機器に記憶された第一の音声データを示す、パルス幅変調信号で構成された第一の音声出力信号（家電機器の音声ＰＷＭ信号）を出力するとともに、当該第一の音声データに基づく音声発生を制御する第一の音声制御手段（機器側音声制御部１１）を備え、前記家電アダプタ装置は、自装置に記憶された第二の音声データを示す、パルス幅変調信号で構成された第二の音声出力信号（家電アダプタの音声ＰＷＭ信号）を出力するとともに、当該第二の音声データに基づく音声発生を制御する第二の音声制御手段（アダプタ側音声制御部２１）を備え、さらに前記家電機器は、前記第一の音声出力信号と、前記第二の音声出力信号とを切り換える音声切換手段（音声切換部１２）を備え、前記第二の音声制御手段は、前記第一の音声出力信号と前記第二の音声出力信号とを切り換える音声信号切換タイミングでの前記第二の音声出力信号の論理レベルを、前記第一の音声出力信号の論理レベルに応じて設定する構成である。
【０１１８】
上記の構成によれば、第二の音声制御手段が、音声信号切換タイミングでの第二の音声出力信号の論理レベルを、第一の音声出力信号の論理レベルに応じて設定する。そのため、音声信号切換タイミングにおいて、第二の音声出力信号の論理レベルを第一の音声出力信号の論理レベルに一致させることができる。それゆえ、音声切換手段による音声信号の切り換えに遅延が生じた場合に、当該遅延に起因したノイズ音が発生しないようにすることができる。
【０１１９】
また、上記のような設定が行われるため、上記ノイズ音の出力を防ぐために、例えば、上記切り換え時に音声出力部への電力供給を停止することが可能な電源スイッチ回路といった付加回路を設けたり、音声出力部に対して電力供給を停止するという制御を行ったりする必要がない。
【０１２０】
したがって、上記の構成によれば、簡易な構成により、音声信号の切り換え時におけるノイズ音の発生のリスクを低減できるという効果を奏する。
【０１２１】
さらに、本発明の態様２に係る音声制御システムでは、態様１において、前記第一の音声制御手段は、さらに、前記第二の音声制御手段に対して前記第二の音声出力信号の出力を要求する音声出力要求を出力するものであり、前記家電機器と前記家電アダプタ装置とに接続され、前記音声出力要求を前記第二の音声制御手段に送信するための通信手段（ＵＡＲＴ通信線４）をさらに備え、前記第一の音声制御手段は、さらに、前記通信手段を介して、前記第一の音声出力信号の論理レベルを示す第一の論理レベル情報（第１論理レベル情報）を前記第二の音声制御手段に送信してもよい。
【０１２２】
上記の構成によれば、上記論理レベルの設定に、家電機器と家電アダプタ装置との間に接続された、音声出力要求を送信するための通信手段が用いられる。そのため、音声制御システムに、当該設定のためだけに用いられる特別なハードウェアを設ける必要がない。それゆえ、音声制御システムの構成をより簡素化できる。
【０１２３】
さらに、本発明の態様３に係る音声制御システムでは、態様１において、前記家電アダプタ装置は、前記音声信号切換タイミングにおける前記第二の音声出力信号の論理レベルを示す第二の論理レベル情報（第２論理レベル情報）を記憶する第一のサーバ（サーバ２７）に接続可能であり、前記第二の音声制御手段は、前記第二の論理レベル情報を、前記第一のサーバから取得してもよい。
【０１２４】
上記の構成によれば、上記第二の音声出力信号の論理レベルを、第一のサーバから取得して設定するので、当該論理レベルの設定における家電機器と家電アダプタ装置との間の通信シーケンスを簡素化できる。それゆえ、家電機器における処理負担を軽減できる。
【０１２５】
さらに、本発明の態様４に係る音声制御システムでは、態様１から３のいずれかにおいて、前記家電アダプタ装置は、前記第二の音声データを記憶する第二のサーバ（サーバ２７）に接続可能であり、前記第二の音声データ（第２音声データ）は、前記第二のサーバから取得されたものであってもよい。
【０１２６】
上記の構成によれば、家電アダプタ装置は、第二のサーバから取得された音声データを第二の音声データとして格納できる。それゆえ、当該音声データの取得により、第二の音声データを追加または変更することができる。すなわち、音声出力部から出力される音声のバリエーションを増やすことが可能となる。
【０１２７】
さらに、本発明の態様５に係る音声制御システムでは、態様１から４のいずれかにおいて、前記家電機器は、前記第一の音声出力信号に基づく音声、または前記第二の音声出力信号に基づく音声を出力する音声出力部（１３）をさらに備えてもよい。
【０１２８】
上記の構成によれば、音声出力部を備えた音声制御システムを構築できる。
【０１２９】
本発明の態様６に係る音声制御システム（音声発話システム１００，１００Ａ，２００，３００）は、家電機器（１，１Ａ）と、前記家電機器に接続された家電アダプタ装置（家電アダプタ２，２ａ〜２ｄ，２Ａ）とを備えた音声制御システムであって、前記家電機器は、自機器に記憶された第一の音声データを示す、パルス幅変調信号で構成された第一の音声出力信号（家電機器の音声ＰＷＭ信号）を出力するとともに、当該第一の音声データに基づく音声発生を制御する第一の音声制御手段（機器側音声制御部１１）を備え、前記家電アダプタ装置は、自装置に記憶された第二の音声データを示す、パルス幅変調信号で構成された第二の音声出力信号（家電アダプタの音声ＰＷＭ信号）を出力するとともに、当該第二の音声データに基づく音声発生を制御する第二の音声制御手段（アダプタ側音声制御部２１）を備え、さらに前記家電機器は、前記第一の音声出力信号と、前記第二の音声出力信号とを切り換える音声切換手段（音声切換部１２）を備え、前記第一の音声出力信号と前記第二の音声出力信号とを切り換える音声信号切換タイミングでの前記第二の音声出力信号の論理レベルは、前記第一の音声出力信号の論理レベルに応じて選択可能である構成である。
【０１３０】
上記の構成によれば、上記態様１と同様の効果を奏する。
【０１３１】
さらに、本発明の態様７に係る音声制御システムでは、態様１から６のいずれかにおいて、前記第一の音声制御手段は、前記第一の音声出力信号の論理レベルを示す第一の論理レベル情報を前記第二の音声制御手段に送信してもよい。
【０１３２】
上記構成によれば、第二の音声制御手段は、第一の音声制御手段から送信された第一の音声出力信号の論理レベルに従って、第二の音声出力信号の論理レベルを設定できる。
【０１３３】
本発明の各態様に係る音声制御システムは、コンピュータによって実現してもよく、この場合には、コンピュータを上記音声制御システムが備える各手段として動作させることにより上記音声制御システムをコンピュータにて実現させる音声制御システムの制御プログラム、およびそれを記録したコンピュータ読み取り可能な記録媒体も、本発明の範疇に入る。
【０１３４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１３５】
なお、本発明は、以下のようにも表現できる。
【０１３６】
すなわち、本発明の一態様に係る音声発話システムは、家電機器と、前記家電機器に接続する家電アダプタ装置と、からなり、前記家電機器は、第一の音声データと、前記第一の音声データに基づく音声発生を制御する第一の音声制御部と、音声出力手段と、を備え、前記家電アダプタ装置は、第二の音声データと、前記第二の音声データに基づく音声発生を制御する第二の音声制御部と、を備え、さらに前記家電機器は、前記第一の音声制御部の出力である第一の音声出力信号と、通信手段を介して前記第一の音声制御部の音声出力要求に応じた前記第二の音声制御部の出力である第二の音声出力信号と、を切り換える音声切換手段を備え、前記第一の音声制御部の出力および前記第二の音声制御部の出力はＰＷＭ信号で構成される音声発話システムであって、前記音声切換手段は、前記第一の音声出力信号と前記第二の音声出力信号とを切り換える音声信号切換タイミングでの前記第二の音声出力信号の論理レベルを選択可能にしている。
【０１３７】
また、本発明の一態様に係る音声発話システムにおいて、前記音声信号切換タイミングにおける前記第二の音声出力信号の論理レベルは、前記通信手段を介して前記第一の音声制御部により選択される。
【０１３８】
また、本発明の一態様に係る音声発話システムにおいて、前記家電アダプタ装置はインターネットを介してサーバに接続する手段を有し、前記音声信号切換タイミングにおける前記第二の音声出力信号の論理レベルは、前記第二の音声制御部が前記サーバのデータベースより取得される。
【０１３９】
また、本発明の一態様に係る音声発話システムにおいて、前記第二の音声データは、インターネットを介してサーバから取得できるように構成される。
【産業上の利用可能性】
【０１４０】
本発明は、音声制御システムに利用することができる。
【符号の説明】
【０１４１】
１，１Ａ  家電機器
２，２ａ〜２ｄ，２Ａ  家電アダプタ（家電アダプタ装置）
４  ＵＡＲＴ通信線（通信手段）
１１  機器側音声制御部（第一の音声制御手段）
１２  音声切換部（音声切換手段）
１３  音声出力部
２１  アダプタ側音声制御部（第二の音声制御手段）
２７  サーバ（第一のサーバ，第二のサーバ）
１００，１００Ａ，２００，３００  音声発話システム（音声制御システム）
【図１】
2015225448.tif 000003
【図２】
2015225448.tif 000004
【図３】
2015225448.tif 000005
【図４】
2015225448.tif 000006
【図５】
2015225448.tif 000007
【図６】
2015225448.tif 000008
【図７】
2015225448.tif 000009
【図８】
2015225448.tif 000010
【図９】
2015225448.tif 000011
【図１０】
2015225448.tif 000012
【図１１】
2015225448.tif 000013
【図１２】
2015225448.tif 000014
【図１３】
2015225448.tif 000015